(57)【要約】【課題】条件設定を行うことなしで、電動弁の開閉テストが行えるようにする。【解決手段】ポンプ操作スイッチにて励磁され切替リレースイッチ８８Ａ−１を切替える補機用遮断機８８Ａと、切替リレースイッチ８８Ａ−１を介して電力が供給され電動弁を開閉する電動弁開閉回転機２と、複数個の接続端子とを有する電動弁開閉回路５と、電動弁開閉回路に対応する接続端子と、手動スイッチの開閉接点とが設けられたテスト回路４０とよりなり、テスト回路の接続端子をテストする電動弁開閉回路の対応する接続端子に接続することにより、ポンプ操作スイッチにてＯＮ・ＯＦＦされる複数個の開閉接点に関係なく、手動スイッチをＯＮすることにより前記手動スイッチの開閉接点を介して前記補機用遮断機を励磁し電動弁開閉回転機を駆動し電動弁のテストをできるようにする。【選択図】  図３
2008064259.tif 000002
【特許請求の範囲】
【請求項１】
開閉接点を開放する異常検知スイッチリレーと、ポンプ操作スイッチにてＯＮ・ＯＦＦされる複数個の開閉接点と、前記複数個の開閉接点がＯＮされることにより励磁され補機用遮断機の接点を切替える補機用遮断機と、前記切替リレースイッチを介して電力が供給され電動弁を開閉する電動弁開閉回転機と、前記各接点に接続されている複数個の接続端子とを有する電動弁開閉回路と、
前記電動弁開閉回路に対応する接続端子と、前記異常検知リレーにて動作されるテスト用スイッチリレーと、手動にてＯＮ・ＯＦＦされる開閉接点とが設けられたテスト回路とよりなり、
前記テスト回路の接続端子をテストする電動弁開閉回路の対応する接続端子に接続することにより、前記ポンプ操作スイッチにてＯＮ・ＯＦＦされる複数個の開閉接点に関係なく、手動スイッチをＯＮすることにより前記手動スイッチの開閉接点を介して前記補機用遮断機を励磁し、前記切替リレースイッチを切替え、電動弁の開閉を行う電動弁開閉回転機を駆動し電動弁のテストをできるようにしたことを特徴とする電動弁開閉テスト装置。
【請求項２】
前記異常検知スイッチは電動弁開閉回転機が設定温度以上に上昇または設定トルク以上になったときＯＮ・ＯＦＦする開閉接点を有し、開閉スイッチリレーを励磁・無励磁し、テスト用回転機温度スイッチ補助リレーは前記異常検知スイッチの接点がＯＮすることにより励磁され補機用遮断機への電力の供給を停止する開閉接点を有することを特徴とする請求項1記載の電動弁開閉テスト装置。
【請求項３】
前記ポンプ操作スイッチにてＯＮ・ＯＦＦする複数個の開閉接点は前記ポンプ操作スイッチにてＯＮ・ＯＦＦする操作開閉接点と、ポンプの電動機が正常状態でＯＮするポンプ開閉接点であることを特徴とする請求項1記載の電動弁開閉テスト装置。
【請求項４】
前記電動弁開閉回路に有する接続端子をメス型プラグに収納し、テスト回路に有する接続端子をオス型プラグに接続し、テスト時に前記メス型プラグとオス型プラグとを結合することを特徴とした請求項１記載の電動弁開閉テスト装置。
【発明の詳細な説明】
【技術分野】
【０００１】
本発明は発電所の復水系統のポンプの吐出側にある電動弁の電動弁開閉テスト装置に関する。
【背景技術】
【０００２】
発電所の復水系統ではタービンで使用した蒸気を復水器内において海水で冷却し、再び水に戻した復水を脱気器へ送水するためにポンプが用いられている。そのポンプの吐出側には電動弁が設けられており、電動弁はポンプが運転すると全開し復水系統に水を供給し、ポンプの停止命令で全閉し復水系統の水の供給を停止している。
【０００３】
ところで電動弁は定期的あるいは必要に応じて分解点検する必要がある。分解点検において、トルクスイッチやリミットスイッチを取替えたり、すり合わせ等の作業をするが、これら作業後テストをする必要がある。
【特許文献１】該当なし
【発明の開示】
【発明が解決しようとする課題】
【０００４】
電動弁は定期的あるいは必要に応じて分解点検しトルクスイッチやリミットスイッチを取り替えたり、すり合わせ等の作業した後テストをする。しかしポンプの出口にある電動弁はポンプの運転・停止に応じてＯＮ・ＯＦＦさせるため、中央制御室あるいは現場に電動弁を開閉する操作スイッチが無く、電動弁を単独では開閉することが出来ない。
【０００５】
電動弁のテストするにはコントロール回路での通常の動作時と同様な条件の設定し電動弁の開閉をする必要があったので、条件設定に時間が掛り、また異常が発生したときの対応に遅れを生じる恐れがあった。
【課題を解決するための手段】
【０００６】
本発明は、条件設定なしで簡単に電動弁の開閉テストが行えるようにするものであり、開閉接点を開放する異常検知スイッチリレーと、ポンプ操作スイッチにてＯＮ・ＯＦＦされる複数個の開閉接点と、前記複数個の開閉接点がＯＮされることにより励磁され切替リレースイッチを切替える補機用遮断機と、前記切替リレースイッチを介して電力が供給され電動弁を開閉する電動弁開閉回転機と、前記各接点に接続されている複数個の接続端子とを有する電動弁開閉回路と、前記電動弁開閉回路に対応する接続端子と、前記異常検知リレーにて動作されるテスト用スイッチリレーと、手動にてＯＮ・ＯＦＦされる開閉接点とが設けられたテスト回路とよりなり、前記テスト回路の接続端子をテストする電動弁開閉回路の対応する接続端子に接続することにより、前記ポンプ操作スイッチにてＯＮ・ＯＦＦされる複数個の開閉接点に関係なく、手動スイッチＯＮすることにより前記手動スイッチの開閉接点を介して前記補機用遮断機を励磁し、前記切替リレースイッチを切替え、電動弁の開閉を行う電動弁開閉回転機を駆動し電動弁のテストをできるようにした電動弁開閉テスト装置を提供する。
【０００７】
本発明の前記異常検知スイッチは電動弁開閉回転機が設定温度以上に上昇または設定トルク以上になったときＯＮ・ＯＦＦする開閉接点を有し、回転機開閉スイッチリレーを励磁・無励磁し、テスト用回転機温度スイッチ補助リレーは前記異常検知スイッチの接点がＯＮすることにより励磁され補機用遮断機への電力の供給を停止する開閉接点を有する電動弁開閉テスト装置を提供する。
【０００８】
本発明の前記異常検知スイッチは電動弁開閉回転機が設定温度以上に上昇または設定トルク以上になったときＯＮする開閉接点を有する回転機スイッチであり、テスト用スイッチリレーは前記異常検知スイッチが動作することにより動作し補機用遮断機に電力を供給する開閉接点を有する電動弁開閉テスト装置を提供する。
【０００９】
本発明は前記ポンプ操作スイッチにてＯＮ・ＯＦＦする複数個の開閉接点は前記ポンプ操作スイッチにてＯＮ・ＯＦＦする操作開閉接点と、ポンプの電動機が正常状態でＯＮするポンプ開閉接点である電動弁開閉テスト装置を提供する。
【発明の効果】
【００１０】
本発明の電動弁開閉テスト装置はテスト回路の対応する接続端子に電動弁開閉回路の接続端子とを接続することにより、補機用遮断機を手動スイッチにてＯＮ・ＯＦＦする開閉接点を介して電源回路に接続されるようにしたので、電動弁開閉回路に設けたポンプ操作スイッチにてＯＮ・ＯＦＦされる開閉接点に関係なく補機用遮断機を励磁し、切替リレースイッチを切替え電動弁開閉回転機を駆動し電動弁のテストをできる。
【００１１】
従って電動弁のテストするにはコントロール回路での通常の動作時と同様な条件の設定し電動弁の開閉をする必要がないので、電動弁は定期的あるいは必要に応じて分解点検しトルクスイッチやリミットスイッチを取替えたり、すり合わせ等の作業した後簡単にテストをすることができる。
【００１２】
しかも本発明の電動弁開閉テスト装置は異常を感じたときにはテスト温度開閉接点あるいはトルク開閉接点が動作する以前でも手動スイッチをＯＦＦすれば補機用遮断機を無励磁にできるので、迅速に対応できる。
【００１３】
本発明の電動弁開閉テスト装置は電動弁開閉回路およびテスト回路の接続端子をオス型プラグおよびメス型プラグに収納することにより、テスト時の手間が更に簡単となり、且つ誤配線が防止できる。
【発明を実施するための最良の形態】
【００１４】
図１から図３に従って本発明の電動弁開閉テスト装置を説明する。
【００１５】
図１は本発明の電動弁開閉テスト装置でテストする電動弁開閉回路５の回路図である。
【００１６】
電動弁１は発電所の復水系統に設置されているポンプの吐出側にある出口弁で、水を供給するときに全開し、停止するときに全閉する。電動弁１は電動弁開閉回転機が正回転すると開動作し、逆回転すると閉動作する。電動弁を開閉させる電動弁開閉回転機の各巻線ｕｖｗに電力を供給する端子板２は第1補機遮断機８８Ａが励磁することによりＯＮされる切替リレースイッチ８８Ａ−１または第２補機遮断機８８Ｂが励磁することによりＯＮされる切替リレースイッチ８８Ｂ−１およびヒューズフリーブレーカＦＦＢを介して母線３に接続されている。母線３には４４０Ｖ、６０Ｈｚの３相交流電力が供給されている。
【００１７】
電動弁開閉回路５は降圧トランス６およびヒューズフリーブレーカＦＦＢを介して母線３に接続されている。降圧トランス６は母線３のｕｖ相に接続されており、母線３より供給される４４０Ｖの電力を１０５Ｖの降圧する。
【００１８】
異常検知スイッチの１つであるトルクスイッチはトルク開閉接点ＴＬａ、ＴＬａ、ＴＬｂ、ＴＬｂとを有する。電動弁１の開閉時等に異常なトルクが発生したとき動作し、それまでＯＦＦしているトルク開閉接点ＴＬａ、ＴＬａをＯＮし、それまでＯＮしているトルク開閉接点ＴＬｂ、ＴＬｂがＯＦＦする。トルク開閉接点ＴＬａがＯＮすることでトルクスイッチ補助リレー１５は励磁され、接点ＴＬＸがＯＮする。この他異常検知スイッチには回転機温度スイッチ４９、４９Ｙを有する。回転機温度スイッチ４９、４９Ｙは通常ＯＦＦし、一定温度以上になったことを検出したときにＯＮする。回転機温度スイッチ４９ＹはＯＮ時に回転機温度スイッチ補助リレー４９Ｘを励磁し、開閉接点４９Ｘ１をＯＦＦし、開閉接点４９Ｘ２、４９Ｘ２をＯＮさせる。操作開閉接点３ＴＸは復水ポンプ操作スイッチを「運転」位置にするとＯＮし、「停止」位置にするとＯＦＦする。
【００１９】
復水ポンプの出口弁の操作補助リレー１７は開閉指令用で、励磁したときにＯＮする補助開閉接点３Ｘａと逆にＯＦＦする補助開閉接点３Ｘｂを有する。第1補機遮断機８８Ａの一方は温度開閉接点４９Ｘ１、ポンプ操作スイッチ接点３−Ａ．ＣＰにて開閉される操作開閉接点３ＴＸ、復水ポンプの状態により開閉する開閉接点５１Ｘ、ポンプ開閉接点５２Ｚ１、５２Ｚ２、操作補助リレー１７の補助開閉接点３Ｘａを介して降圧トランス６に接続されている。
【００２０】
第1補機遮断機８８Ａの他方の端子は位置検出スイッチｈｂおよびトルク開閉接点ＴＬｂを介して降圧トランスの他方の端子に接続されている。第２補機遮断機８８Ｂの一方の端子は温度開閉接点４９Ｘ１および操作補助リレー１７の補助開閉接点３Ｘｂを介して降圧トランス６に接続されている。第２補機遮断機８８Ｂの他方の端子は位置検出スイッチ１ａおよびトルク接点ＴＬｂを介して降圧トランス６の他方の端子に接続されている。
【００２１】
補助トランス８に接続されているＲＥＤランプＲは中央制御室および現地コントロールセンターにあり、電動弁が全開時に、位置検出スイッチがＯＮ動作したときに赤色点灯する。補助トランス９に接続されているＧＲＥＥＮランプＧは中央制御室および現地コントロールセンターにあり、電動弁が全閉時に位置検出スイッチ１ｂがＯＮ動作したときに緑色点灯する。異常時には回転機温度スイッチ４９が動作して回転機温度スイッチ補助リレー４９Ｘの開閉接点４９Ｘ２、４９Ｘ２がＯＮすることにより、ＲＥＤランプＲとＧＲＥＥＮランプＧが共に点灯する。
【００２２】
電動弁開閉回路５には接続端子Ｔ２１２、Ｔ２３２、Ｔ２４２、Ｔ２６２、Ｔ３１２、Ｔ３３２、Ｔ３４２、Ｔ３６２を有する。接続端子Ｔ２１２には温度開閉接点４９Ｘ１が接続され、接続端子Ｔ２３２、Ｔ２６２は温度開閉スイッチ４９Ｘ２が接続されている。
接続端子Ｔ３３２は回転機温度スイッチ開閉リレー４９Ｘの一端に接続され、接続端子Ｔ３６２は回転機温度スイッチ４９の開閉接点４９Ｙに接続されている。
【００２３】
図２は図１の電動弁開閉回路をテストするテスト開閉装置の回路図である。オス・メス型の対をなす２組の接続プラグ１０、１１と接続プラグ１２、１３およびテスト機本体４０よりなる。オス型プラグ１０には接続端子２１１、２３１、２４１、２６１を有し、それと対をなすメス型プラグ１１には接続端子２１２、２３２、２４２、２６２を有する。
【００２４】
オス型プラグ１２には接続端子３１１、３３１、３４１、３６１を有し、それと対をなすメス型プラグ１３には接続端子３１２、３３２、３４２、３６２を有する。
【００２５】
テスト機本体４０には電動弁開閉回路５に設けた回転機温度スイッチ４９Ｙの開閉接点がＯＮすると励磁されるテスト用回転機温度スイッチ補助リレー４９Ｚを有する。手動スイッチには接点５０Ｘ、５０Ｙ、５５を有し、接点５５は手動スイッチを「切」位置にすると、ＯＦＦとなり電源を断ち、「切」位置以外はすべてＯＮする。接点５０Ｘは手動スイッチを「開」位置にするとＯＮし、「開」位置以外はすべてＯＦＦする。接点５０Ｙは手動スイッチを「閉」位置にするとＯＮし、「閉」位置以外はすべてＯＦＦする。
【００２６】
図１に従って、本発明の電動弁開閉テスト装置でテストする電動弁開閉回路の動作について説明する。復水系統に設置されているポンプの出口側にある電動弁１が正常状態にあるとき、ヒューズフリーブレーカの接点ＦＦＢ−１および回転機温度スイッチの接点４９ＹがＯＦＦし、またトルクスイッチ補助リレー１５は動作せず、トルクスイッチ補助リレースイッチ接点もＯＦＦし、回転機温度スイッチ補助リレー４９Ｘが無励磁状態で、温度開閉接点４９Ｘ２、４９Ｘ２はＯＦＦし温度開閉接点４９Ｘ１がＯＮしている。
【００２７】
復水ポンプはタービンで使用した蒸気を復水器内において海水で冷却し、再び水にもどした復水を脱気器へ送水するのに用いられる。ここで使用する復水ポンプの容量は１台当たり５６０ｔ/ｈで、定格負荷（発電機出力[ＭＷＨ]）の１/２以下時は復水ポンプ（Ａ機）１台で送水し、定格負荷１/２を超えると２台目の復水ポンプ（Ｂ機）を起動する。その他予備の復水ポンプ（Ｃ機）を備え、定例的に常用機と予備機の切替を行う。
【００２８】
最初Ａ機およびＢ機の復水ポンプが共に停止しており電動弁は全閉している。Ａ機の復水ポンプを起動するため、ポンプ操作スイッチを「運転」位置にすると、ポンプ遮断機が「入」となり、ポンプ電動機が運転状態となる。
【００２９】
ポンプ操作スイッチはスプリングの力により「運転」位置から「自動」位置へ復帰し、操作開閉接点３−Ａ.ＣＰがＯＮする。Ａ機の復水ポンプの電動機が正常状態であれば開閉接点５１ＸがＯＮしており、Ａ機の復水ポンプ遮断機「入」でポンプ開閉接点５２Ｚ１がＯＮする。それにより温度開閉接点４９Ｘ１、操作開閉接点３−Ａ.ＣＰ、開閉接点３ＴＸ、開閉接点５１Ｘ、ポンプ開閉接点５２Ｚ１を経て降圧トランス６からの電力がＡ機の復水ポンプの出口弁の操作補助リレー１７に供給され、操作補助リレー１７が励磁される。
【００３０】
操作補助リレー１７が励磁されることにより補助開閉接点３ＸaがＯＮし第１補機遮断機８８Ａが励磁され、切替リレースイッチ８８Ａ−１をＯＮ側に切替える。一方このとき操作補助リレー１７が励磁されることにより補助開閉接点３ＸｂがＯＦＦし、第２遮断機８８Ｂが励磁されないようにしている。（補助開閉接点３Ｘａと補助開閉接点３ＸｂとはいずれかがＯＮしているとき他方がＯＦＦするようにして第１補機遮断機８８Ａと第２補機遮断機８８Ｂとが同時に励磁されることがないようにしている）。
【００３１】
切替リレースイッチ８８Ａ−１がＯＮ側に切替られることにより母線からの電力を各巻線ｕｖｗに電力を供給し、電動弁開閉回転機を正回転し電動弁１を開動作する。
【００３２】
出口弁が全開になると位置検出スイッチｈｂがＯＦＦし第１補機遮断機８８Ａが無励磁されることとなり、切替リレースイッチ８８Ａ−１がＯＦＦ側に切替られ、電動弁１の電動弁開閉回転機の各巻線ｕｖｗに電力の供給を停止し、電動弁開閉回転機が停止する。
【００３３】
Ａ機の復水ポンプが停止していてもＢ機の復水ポンプが運転していれば開閉接点５２Ｚ２がＯＮし、操作補助リレー１７を励磁し続け電動弁１を全開に保持する。このときＲＥＤランプＲにはこのときＯＮする位置検出スイッチｈaとトルク開閉接点ＴＬｂを介して電流が流れ、赤色に点灯し電動弁１が全開していることを表示する。
【００３４】
Ａ機の復水ポンプを停止するため、復水ポンプ操作スイッチを「停止」位置にすると、操作開閉接点３ＴＸがＯＦＦし、操作補助リレー１７が無励磁となり補助開閉接点３ＸａがＯＦＦされ、補助開閉接点３ＸｂがＯＮする。それにより第１補機遮断機８８Ａが無励磁され、第２補機遮断機８８Ｂが励磁される。
【００３５】
第２補機遮断機８８Ｂが励磁され、切替リレースイッチ８８Ｂ−１をＯＮ側に切替える。切替リレースイッチ８８Ｂ−１がＯＮ側に切替られることにより母線からの電力を端子板２の各巻線ｕｖｗに前述とは逆相で電力を供給し、電動弁開閉回転機を逆回転し電動弁１を閉動作する。位置検出スイッチｌaがＯＦＦし第２補機遮断機８８Ｂが無励磁されると、切替リレースイッチ８８Ｂ−１がＯＦＦ側に切替られ、電動弁１の電動弁開閉回転機の各巻線ｕｖｗに電力の供給を停止し、電動弁開閉回転機が停止する。
【００３６】
このときＧＲＥＥＮランプＧには位置検出スイッチｌｂとトルク開閉接点ＴＬｂを介して電流が流れ、緑色に点灯し電動弁１が全閉していることを表示する。
【００３７】
ところで負荷が重く定格以上の電流が流れたとき、電動弁の前後で差圧があるとき、グランド部の増し締めが過大で開閉動作に力がかかったとき、あるいは弁体やアクチュエーターに引っかかりがあると開閉動作しないため過剰な電流が流れ、第１補機遮断機８８Ａの下に設置してあり、電動弁開閉回転機に過剰な電流が流れると、ジュール熱により温度上昇を検出し、設定値以上となると動作して異常検知スイッチの１つである回転機温度スイッチ４９が動作し、接点４９ＹがＯＮし、回転機温度スイッチ補助リレー４９Ｘを励磁し、開閉接点４９Ｘ１をＯＦＦしそのとき励磁されている第1補機遮断機８８Ａまたは第２補機遮断機８８Ｂを直ちに無励磁にし保護する。
【００３８】
回転機温度スイッチ補助リレー４９Ｘの開閉接点４９Ｘ２、４９Ｘ２がＯＮすると、ＲＥＤランプＲおよびＧＲＥＥＮランプＧが共に点灯して異常状態を知らせる。
【００３９】
電動弁１の全開位置、全閉位置あるいは中間位置で、回転機温度スイッチ４９と同様に、負荷が重く定格以上の電流が流れたとき、電動弁の前後で差圧があるとき、グランド部の増し締めが過大で開閉動作に力がかかったとき、あるいは弁体やアクチュエーターに引っかかりがあるときに、異常トルクが発生すると、もう１つの異常検知スイッチリレーである電動弁開閉回転機のコイルの温度が異常に上昇する前にトルクスイッチＴＬａ、ＴＬａ、ＴＬｂ、ＴＬｂが動作する。それによりそれまでＯＮしていたトルク開閉接点ＴＬｂをＯＦＦし、ＯＦＦしていたトルク開閉接点ＴＬａをＯＮし、トルクスイッチ補助リレー１５が励磁する。
【００４０】
そのとき励磁されている第１補機遮断機８８Ａまたは第２補機遮断機８８Ｂを直ちに無励磁にし保護する。
【００４１】
電動弁１を定期的あるいは必要に応じて分解点検しトルクスイッチやリミットスイッチを取替えたり、すり合わせ等の作業した後テストをする必要がある。
【００４２】
テストを行うには電動弁開閉回路５にあるオス型プラグとメス型プラグとを切り離し、切り離したオス型プラグとメス型プラグにテスト回路のメス型プラグとオス型プラグとをそれぞれ結合する。第１補機遮断機８８Ａはテスト用回転機温度スイッチ補助リレー開閉接点４９Ｚ１、手動スイッチでＯＮ・ＯＦＦされる開閉接点５５、手動スイッチで切替えられる開閉接点５０Ｘおよび位置検出スイッチｈｂとトルク開閉接点ＴＬｂを介して降圧トランス６に接続される。従って操作開閉接点３−Ａ.ＣＰ、操作開閉接点３ＴＸ、開閉接点５１Ｘ、ポンプ開閉接点５２Ｚ１および補助開閉スイッチ３Ｘa等に関係が無く、第１補機遮断機８８Ａは電源回路に接続される。
【００４３】
また第２補機遮断機８８Ｂもテスト用回転機温度スイッチ補助リレー開閉接点４９Ｚ１、開閉接点５５、開閉接点５０Ｙおよび位置検出スイッチ１ａとトルク開閉接点ＴＬｂを介して降圧トランス６に接続される。
【００４４】
電動弁１の開動作のテストを行うには、手動スイッチを開に位置にし、開閉接点５０ＸをＯＮさせると、テスト用回転機温度スイッチ補助リレー開閉接点、開閉接点５５、開閉接点５０Ｘを介して第１補機遮断機８８Ａに電力が供給され、第１補機遮断機８８Ａが励磁され、切替リレースイッチ８８Ａ−１をＯＮ側に切替える。切替リレースイッチ８８Ａ−１がＯＮ側に切替られることにより母線からの電力を端子板２の各巻線ｕｖｗに電力を供給し、電動弁開閉回転機を正回転し電動弁１を開動作する。
【００４５】
正常状態なら出口弁が全開になると、位置検出スイッチｈｂが開放し第１補機遮断機８８Ａが無励磁されるとなり、切替リレースイッチ８８Ａ−１がＯＦＦ側に切替られ、電動弁１の電動弁開閉回転機の各巻線ｕｖｗに電力の供給を停止し、電動弁開閉回転機が停止する。
【００４６】
電動弁１の閉動作のテストを行うには、手動スイッチを閉の位置にし、開閉接点５０ＸをＯＦＦし、開閉接点５０ＹをＯＮさせる。それにより第１補機遮断機８８Ａが無励磁され、テスト用回転機温度スイッチ補助リレー開閉接点４９Ｚ１、開閉接点５５、開閉接点５０Ｙを介して第２補機遮断機８８Ｂに電力が供給され、第２補機遮断機８８Ｂが励磁される。
【００４７】
第２補機遮断機８８Ｂが励磁され、切替リレースイッチ８８Ｂ−１をＯＮ側に切替える。切替リレースイッチ８８Ｂ−１がＯＮ側に切替られることにより母線からの電力を各巻線ｕｖｗに前述とは逆相で電力を供給し、電動弁開閉回転機を逆回転し電動弁１を閉動作する。出口弁が全閉になると位置検出スイッチ１ａがＯＦＦし第２補機遮断機８８Ｂが無励磁されるとなり、切替リレースイッチ８８Ｂ−１がＯＦＦ側に切替られ、電動弁１の電動弁開閉回転機の各巻線ｕｖｗに電力の供給を停止し、電動弁開閉回転機が停止する。このときＧＲＥＥＮランプＧには位置検出リレー１ｂ、トルクスイッチＴＬｂを介して電流が流れ、緑色に点灯し電動弁１が全閉していることを表示する。
【００４８】
開閉動作中（中間開度）にトルクスイッチを強制的に動作させ、電動機の停止、ランプ表示の確認および警報の出力を確認する。また、全開および全閉用の位置検出スイッチを強制動作させ、電動機の停止およびランプ表示の確認を行う。
【００４９】
ところでテストを行っているとき、負荷が重く定格以上の電流が流れたとき、電動弁が前後で差圧がありグランド部の増し締めが過大で開閉動作に力がかかったとき、あるいは弁体やアクチュエーターに引っかかりがあると開閉動作しないため過剰な電流が流れ、電動弁開閉回転機に過剰な電流が流れると、ジュール熱により温度上昇を検出し、設定値以上となると回転機温度スイッチ４９が動作し、接点４９ＹをＯＮし、それによりテスト用回転機温度スイッチ補助リレー４９Ｚが励磁し、テスト用回転機温度スイッチ補助リレー開閉接点４９Ｚ１をＯＦＦし、回転機温度スイッチ４９Ｚ２をＯＮする。そのとき励磁されている第１補機遮断機８８Ａまたは第２補機遮断機８８Ｂを直ちに無励磁にし保護する。これにより電動弁開閉回路等に異常があることが検知される。
【００５０】
電動弁１の全開位置、全閉位置あるいは中間位置で、回転機温度スイッチ４９と同様に、負荷が重く定格以上の電流が流れたとき、電動弁の前後で差圧があるとき、グランド部の増し締めが過大で開閉動作に力がかかったとき、あるいは弁体やアクチュエーターに引っかかりがあるときに、異常トルクが発生し電動弁開閉回転機コイルの温度が異常に上昇する前にトルクスイッチＴＬａ、ＴＬａ、ＴＬｂ、ＴＬｂが動作する。
【００５１】
それによりそれまでＯＮしていたトルク開閉接点ＴＬｂをＯＦＦし、ＯＦＦしていた開閉接点ＴＬａをＯＮし、トルクスイッチ補助リレー１５が励磁する。そのとき励磁されている第１補機遮断機８８Ａまたは第２補機遮断機８８Ｂを直ちに無励磁にする。
【００５２】
尚、テストを行っている電動弁開閉回路５に異常が発見されたとき、テスト用回転機温度スイッチ補助リレー４９Ｚあるいはトルクスイッチ補助リレー１５が異常を検知する前でも開閉接点５５を手動でＯＦＦさせることにより、第１補機遮断機８８Ａまたは第２補機遮断機８８Ｂを直ちに無励磁にし迅速に保護することができる。
【図面の簡単な説明】
【００５３】
【図１】本発明の電動弁開閉テスト装置でテストを行う電動弁開閉回路図である。
【図２】本発明の電動弁開閉テスト装置の回路図である。
【図３】本発明の電動弁開閉テスト装置を電動弁開閉回路に接続した回路図である。
【符号の説明】
【００５４】
１        電動弁
３        母線
５        電動弁開閉回路
６        降圧トランス
８        補助トランス
１５      トルクスイッチ補助リレー
４０      テスト機本体
４９      回転機温度スイッチ
４９Ｚ    テスト用回転機温度スイッチ補助リレー
４９Ｚ１  テスト用回転機温度スイッチ補助リレー開閉接点
５５      開閉スイッチ
８８Ａ    第1補機遮断機
８８Ｂ    第２補機遮断機
【図１】
2008064259.tif 000003
【図２】
2008064259.tif 000004
【図３】
2008064259.tif 000005